【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
サーバ（１００）とクライアント（１０５）との間でネットワーク（１２５）を介して送信されるマルチメディアシーケンスにおいて、少なくとも１つの送信エラーにより発生する少なくとも１つの復号化エラーを隠蔽する方法であって、
前記少なくとも１つの送信エラーの検出に加え、リフレッシュデータを含み且つ前記マルチメディアシーケンスに結び付けられる同期化ストリームを取得するステップ（４０８、８０６、１１０３）と、
前記少なくとも１つの復号化エラーの特徴データを判定するステップ（４１１、８１９、１１０６）と、
前記同期化ストリーム及び前記特徴データの関数に従って結果として得られるストリームを作成するステップ（４１２、８１３、１１１７）であって、前記関数において前記特徴データの少なくとも１つの影響が時間と共にプログレッシブに減少する
ことを特徴とする方法。
【請求項２】
前記関数において、前記特徴データの前記少なくとも１つの影響は、前記リフレッシュデータを含む前記同期化ストリームの要素から開始する時間と共にプログレッシブに減少することを特徴とする請求項１に記載の方法。
【請求項３】
前記マルチメディアシーケンスに結び付けられる非同期化ストリームを作成するステップを更に含み、前記特徴データは前記非同期化ストリームにおいて伝播されることを特徴とする請求項１又は２に記載の方法。
【請求項４】
前記少なくとも１つの送信エラーの検出時には、否定応答が前記クライアントから前記サーバに送信されることを特徴とする請求項３に記載の方法。
【請求項５】
前記結果として得られるストリームは、前記同期化ストリーム及び前記非同期化ストリームの加重平均に従って作成されることを特徴とする請求項３又は４に記載の方法。
【請求項６】
前記マルチメディアシーケンスは空間的冗長性及び時間的冗長性を減少するハイブリッド符号化動作に従って符号化され、前記同期化ストリームは空間的冗長性に従う符号化データに基づき、前記特徴データは時間的冗長性に従う符号化データを通して前記非同期化ストリームにおいて伝播されることを特徴とする請求項３乃至５のいずれか１項に記載の方法。
【請求項７】
前記方法は、前記サーバ（１００）において実現され、前記方法はまた、前記少なくとも１つの復号化エラーの場所に関する情報（４２２）を受信するステップを含むことを特徴とする請求項３乃至６のいずれか１項に記載の方法。
【請求項８】
前記受信した場所に関する情報に従って前記特徴データを伝播するステップを更に含むことを特徴とする請求項７に記載の方法。
【請求項９】
前記非同期化ストリームの作成は参照データに基づき、該参照データは前記特徴データを伝播する前記ステップに従って判定されることを特徴とする請求項８に記載の方法。
【請求項１０】
前記結果として得られるストリームを符号化するステップ（４１５）及び送信するステップ（４１７）を更に含むことを特徴とする請求項８又は９に記載の方法。
【請求項１１】
前記結果として得られるストリームの符号化は、参照データに基づき且つ前記同期化ストリーム及び前記非同期化ストリームの前記関数の結果に基づき、該参照データは前記特徴データを伝播する前記ステップに従って判定されることを特徴とする請求項１０に記載の方法。
【請求項１２】
前記方法は、前記クライアントにおいて実現されることを特徴とする請求項３乃至６のいずれか１項に記載の方法。
【請求項１３】
前記特徴データを伝播するためにデータを受信するステップ（８０４）を更に含むことを特徴とする請求項１２に記載の方法。
【請求項１４】
参照データは、所定の瞬間に前記非同期化ストリームのデータを判定するために使用され、該参照データは、先の瞬間において前記結果として得られるストリームのデータであることを特徴とする請求項１２又は１３に記載の方法。
【請求項１５】
前記非同期化ストリームにおける前記少なくとも１つの復号化エラーを隠蔽するステップを更に含み、該隠蔽するステップは前記クライアント（５０４、５０９）及び前記サーバ（５２３、５２６）において実現され、前記サーバにおいて実現される前記隠蔽は前記クライアントにおいて実行される前記隠蔽を再生成することを特徴とする請求項３乃至１１のいずれか１項に記載の方法。
【請求項１６】
特徴データを判定する前記ステップは、前記少なくとも１つの復号化エラーを推定するステップ（９０８）を含み、該特徴データは、前記少なくとも１つの復号化エラーの前記推定を含むことを特徴とする請求項１又は２に記載の方法。
【請求項１７】
コンピュータに請求項１乃至１６のいずれか１項に記載の方法の各ステップを実行させるためのコンピュータプログラム。
【請求項１８】
請求項１７に記載のコンピュータプログラムを格納した、コンピュータ読み取り可能な記憶媒体。
【請求項１９】
サーバ（１００）とクライアント（１０５）との間でネットワーク（１２５）を介して送信されるマルチメディアシーケンスにおいて、少なくとも１つの送信エラーにより発生する少なくとも１つの復号化エラーを隠蔽するデバイスであって、
前記少なくとも１つの送信エラーの検出に加え、リフレッシュデータを含み且つ前記マルチメディアシーケンスに結び付けられる同期化ストリームを取得する手段と、
前記少なくとも１つの復号化エラーの特徴データを判定する手段と、
前記同期化ストリーム及び前記特徴データの関数に従って結果として得られるストリームを生成する手段であって、前記特徴データの少なくとも１つの影響が時間と共に漸減する
ことを特徴とするデバイス。
【手続補正２】
【補正対象書類名】明細書
【補正対象項目名】００１６
【補正方法】変更
【補正の内容】
【００１６】
本発明の目的を達成するために、例えば、本発明の方法は以下の構成を備える。即ち、サーバ（１００）とクライアント（１０５）との間でネットワーク（１２５）を介して送信されるマルチメディアシーケンスにおいて、少なくとも１つの送信エラーにより発生する少なくとも１つの復号化エラーを隠蔽する方法であって、
前記少なくとも１つの送信エラーの検出に加え、リフレッシュデータを含み且つ前記マルチメディアシーケンスに結び付けられる同期化ストリームを取得するステップ（４０８、８０６、１１０３）と、
前記少なくとも１つの復号化エラーの特徴データを判定するステップ（４１１、８１９、１１０６）と、
前記同期化ストリーム及び前記特徴データの関数に従って結果として得られるストリームを作成するステップ（４１２、８１３、１１１７）であって、前記関数において前記特徴データの少なくとも１つの影響が時間と共にプログレッシブに減少する
ことを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】削除
【補正の内容】
【手続補正３７】
【補正対象書類名】明細書
【補正対象項目名】００５１
【補正方法】削除
【補正の内容】
【手続補正３８】
【補正対象書類名】明細書
【補正対象項目名】００５２
【補正方法】削除
【補正の内容】
【手続補正３９】
【補正対象書類名】明細書
【補正対象項目名】００５３
【補正方法】削除
【補正の内容】
【手続補正４０】
【補正対象書類名】明細書
【補正対象項目名】００５４
【補正方法】削除
【補正の内容】
【手続補正４１】
【補正対象書類名】明細書
【補正対象項目名】００５５
【補正方法】削除
【補正の内容】
【手続補正４２】
【補正対象書類名】明細書
【補正対象項目名】００５６
【補正方法】削除
【補正の内容】
【手続補正４３】
【補正対象書類名】明細書
【補正対象項目名】００５７
【補正方法】削除
【補正の内容】